(57)【要約】【課題】フィルタ部を装着していないことに容易に気付くことができる電気掃除機を提供する。【解決手段】電気掃除機は、電動送風機39を収容した本体ケース26を有する。電気掃除機は、本体ケース26に着脱自在に設けられ、電動送風機39の駆動により吸い込まれた含塵空気から塵埃を遠心分離して捕集する集塵装置27を有する。電気掃除機は、集塵装置27の下流側でかつ電動送風機39の吸込側にて本体ケース26に対して着脱可能なフィルタ部42を有する。フィルタ部42は、装着状態で本体ケース26内に位置するフィルタ68，69を備える。フィルタ部42は、フィルタ68，69を保持するとともに、電動送風機39の吸込側に連通する風路72の一部を形成するフィルタ枠67を備える。【選択図】図１
2014018300.tif 000002
【特許請求の範囲】
【請求項１】
電動送風機を収容した本体ケースと、
この本体ケースに着脱自在に設けられ、前記電動送風機の駆動により吸い込まれた含塵空気から塵埃を遠心分離して捕集する集塵装置と、
この集塵装置の下流側でかつ前記電動送風機の吸込側にて前記本体ケースに対して着脱可能なフィルタ部とを具備し、
前記フィルタ部は、
装着状態で前記本体ケース内に位置するフィルタと、
このフィルタを保持するとともに、前記電動送風機の吸込側に連通する風路の一部を形成するフィルタ枠とを備えている
ことを特徴とした電気掃除機。
【請求項２】
フィルタ枠の少なくとも一部は、本体ケースの外郭の一部をなす
ことを特徴とした請求項１記載の電気掃除機。
【請求項３】
フィルタ部は、
フィルタ枠に設けられ、装着状態で本体ケースの外部から操作可能で、前記フィルタ部をこの本体ケースに対して着脱可能に固定するクランプと、
前記フィルタ枠に設けられ、装着状態で前記本体ケースの外部に位置する把持用の取手とを備えている
ことを特徴とした請求項２記載の電気掃除機。
【請求項４】
フィルタ部は、本体ケースに対して着脱する際のガイドとなるとともに、電動送風機の駆動により生じた負圧によってこの電動送風機の吸込側に吸い寄せられることで風路の隙間を閉塞するシール部材を備えている
ことを特徴とした請求項１ないし３いずれか一記載の電気掃除機。
【発明の詳細な説明】
【技術分野】
【０００１】
本発明の実施形態は、集塵装置の下流側でかつ電動送風機の吸込側にて本体ケースに対して着脱可能なフィルタ部を備えた電気掃除機に関する。
【背景技術】
【０００２】
従来、この種の電気掃除機は、中空状の本体ケースと、この本体ケースに収容された電動送風機とを有する掃除機本体を備えている。本体ケースの内部には、電動送風機の駆動により吸い込んだ含塵空気を旋回させて塵埃を遠心分離する集塵装置が配置されているとともに、この集塵装置の下流側でかつ電動送風機の吸込側に、集塵装置を通過した塵埃を捕集するフィルタ部が着脱可能に配置されている。
【先行技術文献】
【特許文献】
【０００３】
【特許文献１】実開昭５８−９１３５６号公報
【発明の概要】
【発明が解決しようとする課題】
【０００４】
フィルタ部は、集塵装置から電動送風機の吸込側までの風路中に配置されているため、例えばこのフィルタ部を取り外してメンテナンスした後などに、フィルタ部の再装着を誤って忘れた場合でも、電動送風機の吸込力は殆ど低下せず、使用者がフィルタ部の装着忘れに気付かないまま電気掃除機を使用するおそれがある。
【０００５】
本発明が解決しようとする課題は、フィルタ部を装着していないことに容易に気付くことができる電気掃除機を提供することである。
【課題を解決するための手段】
【０００６】
実施形態の電気掃除機は、電動送風機を収容した本体ケースを有する。また、この電気掃除機は、本体ケースに着脱自在に設けられ、電動送風機の駆動により吸い込まれた含塵空気から塵埃を遠心分離して捕集する集塵装置を有する。さらに、この電気掃除機は、集塵装置の下流側でかつ電動送風機の吸込側にて本体ケースに対して着脱可能なフィルタ部を有する。このフィルタ部は、装着状態で本体ケース内に位置するフィルタを備える。また、このフィルタ部は、フィルタを保持するとともに、電動送風機の吸込側に連通する風路の一部を形成するフィルタ枠を備える。
【図面の簡単な説明】
【０００７】
【図１】一実施形態の電気掃除機の掃除機本体を示す中央断面図である。
【図２】同上本体ケースを後方から示す斜視図であり、(a)はフィルタ部を取り外した状態を示し、(b)はフィルタ部を装着した状態を示す。
【図３】同上本体ケースの後部の一部を模式的に示す側面図であり、(a)はフィルタ部を取り外した状態を示し、(b)はフィルタ部を装着した状態を示す。
【図４】同上集塵装置を示す断面図である。
【図５】同上本体ケースを前方から示す斜視図である。
【図６】同上電気掃除機の斜視図である。
【発明を実施するための形態】
【０００８】
以下、一実施形態の構成を図１ないし図６を参照して説明する。
【０００９】
図６において、11はいわゆるキャニスタ型の電気掃除機を示し、この電気掃除機11は、吸込風路体(風路形成体)である管部12と、この管部12が着脱可能に接続される掃除機本体13とを有している。
【００１０】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側などに着脱可能に接続される吸込口体としての床ブラシ19とを備えている。
【００１１】
手元操作部17には、ループ状の把持部21がホース体16側へと突出し、この把持部21の上部には、操作用の設定ボタン22が複数設けられている。
【００１２】
また、図１ないし図６に示すように、掃除機本体13は、大径の走行輪23を両側に有し旋回輪24および接地輪25を下部に有する本体ケース26を備え、この本体ケース26の外部である上部には、集塵カップである集塵装置27が着脱可能となっている。そして、掃除機本体13は、走行輪23および旋回輪24あるいは接地輪25によって被掃除面である床面上を少なくとも前後方向に沿って走行(移動)可能に構成されている。なお、以下、前後方向および左右方向は、掃除機本体13(本体ケース26)の走行(移動)方向を基準とする。
【００１３】
本体ケース26は、例えば合成樹脂などにより形成されており、集塵装置27の後方に位置する本体部31と、この本体部31の前部下側に突設されて集塵装置27の下部を支持する集塵装置支持部としての突出受部32とを一体的に有している。そして、本体ケース26の内部には、これら本体部31と突出受部32とに亘って、側面視でＬ字状に屈曲した本体風路部33が配置されている。
【００１４】
本体部31の両側には、走行輪23がそれぞれ回転自在に軸支されている。また、この本体部31の後部の下側には、掃除機本体13の前側が持ち上がった状態で床面に対して接地する接地輪25が左右方向の中央部に回転自在に取り付けられている。さらに、この本体部31の前部の上側には、掃除機本体13(本体ケース26)を把持するためのループ状のハンドル34が後方に向けて傾斜状に突設されている。また、この本体部31の内部には、電動送風機室35が下部の一側、例えば右側に形成されているとともに、図示しない電源室が他側、例えば左側に区画され、電動送風機室35の上方に隣接して、フィルタ室37が区画され、かつ、このフィルタ室37の上方に隣接して、連通風路部38が区画されている。そして、電動送風機室35の内部には、電動送風機39、および、この電動送風機39の動作を制御する図示しない制御手段としての制御回路部などが収容されている。また、電源室には、外部電源から電動送風機39などに給電可能な電源コードを巻回した電源部としての図示しないコードリール装置が回転可能に収容されている。さらに、フィルタ室37には、集塵装置27の下流側と電動送風機39の吸込側との間に位置するフィルタ部42が着脱可能となっている。
【００１５】
また、本体部31の前部には、突出受部32の後部に連続して円弧状に湾曲した凹部44が形成されている。この凹部44の下部には、集塵装置27の上流側に気密に接続される連通開口部45が形成されており、この凹部44の上部には、連通風路部38と連通し本体ケース26に装着された集塵装置27の下流側に気密に接続される吸気開口部46が形成されている。そして、この本体部31の後部には、接地輪25の上方に位置して上下方向および左右方向に沿って面状(平面状)に延びる外郭面である後面部47が形成されており、この後面部47には、電動送風機室35と本体ケース26の外部とを連通する複数の排気孔48が形成されているとともに、これら排気孔48の上方の一側に、フィルタ室37と本体ケース26の外部とを連通する着脱開口49が形成され、かつ、排気孔48の上方の他側に、電源室と本体ケース26の外部とを連通し電源コードを出し入れするためのコード導出口50が形成されている。
【００１６】
また、突出受部32の前面には、管部12の接続管部15が接続される本体吸込口52が形成されており、この本体吸込口52が本体風路部33の上流端の開口となっている。したがって、この本体吸込口52は、本体風路部33を介して連通開口部45と連通し、この連通開口部45を介して集塵装置27の上流側と連通可能となっている。
【００１７】
電動送風機39は、設定ボタン22の操作に応じて、制御回路部により動作が制御されるものである。この電動送風機39は、吸込側を上側として配置され、排気側である下側が本体ケース26の底部55に支持されている。
【００１８】
また、制御回路部は、設定ボタン22と電気的に接続されており、この設定ボタン22の操作により設定された動作モード(例えば強モード、中モード、弱モード、自動モード、停止モードなど)に電動送風機39の動作を設定するように構成されている。
【００１９】
また、フィルタ室37は、左右両側に互いに対向して位置する両側壁部57，57と、これら両側壁部57，57の前端間に連続する奥壁部である前壁部58と、これら両側壁部57，57と前壁部58との上部に連続しフィルタ部42に対向する風路壁部である上壁部59と、これら両側壁部57，57と前壁部58との下部に連続する隔壁部である下壁部60とを備えており、上部、すなわち上流側が、上壁部59に開口された通気開口61により連通風路部38を介して吸気開口部46と連通しているとともに、下部、すなわち下流側が、下壁部60に開口された円形状の連通開口62により電動送風機室35と連通して電動送風機39と気密に接続されている。
【００２０】
側壁部57，57は、それぞれ前後方向に沿って平面状に形成されている。また、前壁部58は、フィルタ室37に装着されるフィルタ部42の前端部を規定する部分であり、左右方向に沿って平面状に形成されている。そして、これら側壁部57，57および前壁部58に亘って、フィルタ部42を装着時にガイドするとともにフィルタ室37に装着したフィルタ部42を支持するリブ状のフィルタ部ガイド部64が平面視でコ字状に形成されている。
【００２１】
また、側壁部57，57、上壁部59および下壁部60の後部寄りの位置、すなわち着脱開口49側の位置には、通気開口61および連通開口62よりも後方に、フィルタ部42を受ける段差状のフィルタ部受部65が形成されている。すなわち、このフィルタ部受部65は、正面視で四角形環状となっている。
【００２２】
さらに、各側壁部57には、フィルタ部ガイド部64およびフィルタ部受部65よりも後方の位置に、フィルタ部42を係止するための係止開口部66(一方のみ図示)が開口されている。
【００２３】
また、フィルタ部42は、集塵装置27を通過した塵埃を捕集するものであり、フィルタ枠67と、このフィルタ枠67に着脱可能に保持された(第１および第２の)フィルタ68，69と、フィルタ枠67に保持された(第１および第２の)シール部材70，71とを備えている。
【００２４】
フィルタ枠67は、集塵装置27の下流側と電動送風機39の吸込側とを連通する風路72の一部および本体ケース26の外郭の一部を形成するもので、例えば合成樹脂により一体成形されており、平面視でコ字状の枠本体部73と、この枠本体部73の後部に左右方向に沿って設けられた機構部74とを有する、四角形枠状となっている。そして、このフィルタ枠67の内部には、フィルタ68，69が上下方向に隣接して配置されている。
【００２５】
風路72は、吸気開口部46から、連通風路部38、通気開口61、フィルタ室37、フィルタ部42、および、連通開口62によって構成される。
【００２６】
また、機構部74は、本体ケース26の後面部47と実質的に面一となって本体ケース26の外郭の一部をなす面状の外面部76を後端部に有している。すなわち、この外面部76は、フィルタ枠67(フィルタ部42)の最後部となっている。さらに、この機構部74には、フィルタ部42を本体ケース26(フィルタ室37)に着脱可能に固定するためのクランプ77が配置されている。このクランプ77は、一対の取手78，78と、これら取手78，78を左右両側から接近させるように摘むことで動作する爪部79，79とを備えている。そして、取手78，78は、外面部76の下部に左右方向に沿って長手状に凹設された配置凹部80に配置されて本体ケース26の後部(外部)に露出しており、これら取手78，78により、本体ケース26の外部からクランプ77を操作可能となっている。すなわち、これら取手78，78は、本体ケース26の後面部47に対して突出していない。さらに、これら取手78，78は、左右両側から摘んだ状態で、フィルタ部42を把持するための把持用の摘みとなっている。また、各爪部79は、係止開口部66にそれぞれ挿入係止される部分であり、機構部74の両側に位置し、図示しない付勢手段によって側方へと進出する方向に向けて付勢され、両方の取手78を左右両側から摘むことで、付勢に抗して機構部74内へと退避するように構成されている。
【００２７】
また、シール部材70は、可撓性および弾性を有するエラストマ、あるいはゴムなどの部材により形成されており、枠本体部73の上端部の外縁に沿って平面視でコ字状に取り付けられている。このシール部材70は、本体ケース26(フィルタ室37)に対してフィルタ部42を着脱する際に、フィルタ部ガイド部64と接触することで、この着脱のガイドとなるものである。また、このシール部材70は、フィルタ部42を本体ケース26(フィルタ室37)に装着した状態で、下側がフィルタ部ガイド部64の上部と接触してフィルタ部ガイド部64により下方から支持されているとともに、前側が前壁部58と接触している。そして、このシール部材70は、電動送風機39の駆動により生じた負圧によってフィルタ部42(フィルタ枠67)が下流側、すなわち下方へと吸い寄せられることでこのフィルタ部ガイド部64へと圧接されて風路72の隙間を閉塞するようになっている。
【００２８】
このため、フィルタ部42は、本体ケース26(フィルタ室37)に対して装着した状態で、フィルタ68，69が本体ケース26(風路72)の内部に位置している。
【００２９】
また、シール部材71は、可撓性および弾性を有するエラストマ、あるいはゴムなどの部材により形成されており、機構部74の前部にて枠本体部73の周囲を囲むように正面視で四角形環状に取り付けられている。このシール部材71は、フィルタ部42を本体ケース26(フィルタ室37)に装着した状態でフィルタ部受部65と接触しており、電動送風機39の駆動により生じた負圧によってフィルタ部42(フィルタ枠67)が下流側、すなわち前方へと吸い寄せられることでフィルタ部受部65へと圧接されて風路72の隙間を閉塞するようになっている。
【００３０】
一方、集塵装置27は、下側に位置する第１本体部としてのケース部85と、このケース部85の上側に位置する第２本体部としての分離体86とを着脱可能に備えている。この分離体86は、ケース部85の内部に挿入されて第１遠心分離部90を構成する構造体である内筒91と、通気風路部92と、例えば複数の第２遠心分離部93と、風路部94とを有するユニット状となっている。そして、この集塵装置27は、本体ケース26に対して装着した状態で後側が凹部44に嵌合し、上側が後方へと傾斜した状態で(ハンドル34に対して平行な状態で)固定される。
【００３１】
第１遠心分離部90は、電動送風機39の駆動により内部に吸い込んだ含塵空気中の一部である相対的に大きい塵埃、すなわち粗塵を主として遠心分離して溜めるものである。
【００３２】
ケース部85は、例えば透光性を有する(透明な)合成樹脂などの部材により形成され、第１遠心分離部90の外郭をなしている。したがって、第１遠心分離部90は、外部から内部を目視可能となっている。また、このケース部85の上部には、第２遠心分離部93の下部に対向する空間部96が区画されている。さらに、このケース部85の後部には、含塵空気を吸い込むための導入口97が一側、例えば右側に偏った位置に開口されている。そして、このケース部85の外部には、集塵装置27(ケース部85)を把持するための集塵装置取手部98が突設されている。また、このケース部85の後部の両側には、本体ケース26に対して集塵装置27を装着する際の位置決めとなる図示しない位置決め凸部が突設されている。
【００３３】
空間部96は、円筒状に設けられ、ケース部85の上端部の全周縁部に連続して上方へと拡開している。すなわち、この空間部96は、ケース部85の上端部に周辺側から中央側へと下方に向けて傾斜して一体形成された傾斜面部101により区画されている。したがって、この空間部96は、第１遠心分離部90(ケース部85)と連通している。
【００３４】
また、導入口97は、後方へと略水平状に延びており、集塵装置27を本体ケース26に装着した状態で連通開口部45と気密に接続される。したがって、この導入口97は、連通開口部45および本体風路部33を介して本体吸込口52と気密に接続される。
【００３５】
また、集塵装置取手部98は、ケース部85の後部で、かつ、導入口97の側方、換言すれば導入口97の近傍に突設されている。この集塵装置取手部98は、例えば上下方向、すなわちケース部85(第１遠心分離部90)の軸方向に対して平行に設けられている。
【００３６】
また、位置決め凸部は、導入口97の上側の両側に位置しており、本体ケース26に対して集塵装置27を装着する際に、本体ケース26の本体部31の凹部44に上下方向に沿って長手状に形成された位置決め受部104，104の下端部に対して挿入されるようになっている。
【００３７】
また、内筒91は、ケース部85の中央部に配置され、第１遠心分離部90の旋回中心となって、外周とケース部85の内周面85aとの間(周囲)に、含塵空気を旋回させる旋回風路106を形成するとともに、内部を通して第１遠心分離部90と各第２遠心分離部93側(通気風路部92)とを接続するものである。そして、この内筒91は、例えば合成樹脂などの材料により略有底円筒状に形成され、略円筒状の構造体本体である排気筒部108と、この排気筒部108の下端側に同軸状に設けられた圧縮部であるシェード部109とを備えている。また、この内筒91は、上端部が分離体86に対して一体的に固定されており、分離体86とともに、ケース部85に対して着脱可能となっている。
【００３８】
排気筒部108は、旋回風路106を旋回する含塵空気が内部へと通過する開口111を周方向に複数備えており、これら開口111全体が分離フィルタ112によって覆われている。また、この排気筒部108の下端部は、周辺側、すなわち外縁側から中央(中心)側に向けて徐々に下流側である上方に向けて突出するように傾斜した傾斜面である底面部113により閉塞されている。この底面部113は、例えば球面の一部を切り取った球面状、あるいは放物面状などであり、中央部が尖ることなく湾曲している。
【００３９】
また、シェード部109は、第１遠心分離部90において分離した粗塵を、電動送風機39の駆動により生じる負圧を利用して圧縮するものであり、排気筒部108の下端部の周縁から径方向へと鍔状に突出する円形状の天板部115と、この天板部115の外周縁から排気筒部108と反対方向である下方に向けて突出する折り返し部としての周板部116とを一体的に有し、下方に向けて開口している。したがって、このシェード部109は、排気筒部108よりも径寸法が大きく、この排気筒部108に対して径方向に突出している。さらに、天板部115には、複数の圧縮用開口117が周方向に略等間隔に離間されて開口されており、これら圧縮用開口117は、圧縮フィルタ118によって覆われている。また、このシェード部109は、中央部が排気筒部108の底面部113の背面となっている。そのため、このシェード部109の中央部は、下流側である上方に向けて突出している。そして、このシェード部109は、ケース部85の底部に対して上方に離間されており、旋回風路106を旋回する含塵空気の一部が下側から圧縮用開口117へと循環するように通過することで圧縮フィルタ118に粗塵を押し付け、粗塵を圧縮した状態で溜めるように構成されている。
【００４０】
また、分離体86は、第１風路体121、第２風路体122、導入風路体123、分離風路体124、上蓋部125、内筒91、および、この内筒91を保持する保持体126を一体的に備えた円筒状に形成されており、ケース部85(第１遠心分離部90)の径寸法よりも大きい径寸法を有している。
【００４１】
第１風路体121は、下側である上流側から上側である下流側へと縮径する略円筒状の導風部131と、この導風部131の中央部に位置する略円筒状の筒部132と、この筒部132に連通し後方に向けて径方向に延びるダクト部133とを備えている。
【００４２】
また、第２風路体122は、下側から上側へと拡開する円筒状に形成されており、中央部が筒部132と気密に接続され、外縁部が上蓋部125の内縁部と当接している。
【００４３】
また、導入風路体123は、第１風路体121と第２風路体122との間に位置するもので、下側から上側へと拡開し下端部が導風部131の上端部に気密に接続される円筒状の連結筒部135と、この連結筒部135の外縁部に螺旋蓋状に設けられ各第２遠心分離部93の上端部をなす旋回部136と、これら旋回部136のそれぞれの中央部に円筒状に一体に設けられた排気部137とを備えている。そして、排気部137の上端部が、第２風路体122の外縁近傍に開口された円形状の接続孔138に気密に挿入接続されている。
【００４４】
また、分離風路体124は、連結筒部135の外方に位置し各第２遠心分離部93の下端部をなす第２遠心分離部本体としてのコーン部である複数の旋回筒部141と、これら旋回筒部141の周囲を覆うカバー部142とを備えている。
【００４５】
そして、旋回筒部141は、第１遠心分離部90のケース部85よりも小径に形成されており、さらに上端部から下端部へと徐々に縮径されている。また、これら旋回筒部141の上端部には、導入風路体123の旋回部136がそれぞれ嵌合しているとともに、これら旋回筒部141の下端部は、それぞれ空間部96と連通している。
【００４６】
また、カバー部142は、分離体86の外周面をなすものである。さらに、このカバー部142には、ダクト部133と連通して風路部94の下流端をなす例えば四角形状の排気開口144が左右方向の中央部の後部に開口されている。
【００４７】
排気開口144は、後側の第２遠心分離部93，93間に位置している。この排気開口144は、集塵装置27を本体ケース26に装着した状態で吸気開口部46と気密に接続される。したがって、この排気開口144は、吸気開口部46を介して風路72(電動送風機39の吸込側)と気密に接続される。また、排気開口144は、導入口97と同側である集塵装置27の後側に位置しており、集塵装置27を本体ケース26に装着した状態で本体ケース26の本体部31の凹部44に対向する。
【００４８】
また、上蓋部125は、導入風路体123の上側を覆って分離風路体124の上端部に連結されている。さらに、この上蓋部125は、上側の中央部に、例えば第２風路体122の湾曲形状に沿って下方へと窪んだ平面視で円形状の上側凹部147が形成されており、この上側凹部147から左右方向の中央部の後部に亘って、係止装置としての集塵装置用クランプ148が取り付けられている。
【００４９】
集塵装置用クランプ148は、上側凹部147に嵌合する操作用の操作ハンドル部151と、この操作ハンドル部151の操作によって動作する係止部としての係止爪部152とを備えている。
【００５０】
操作ハンドル部151は、両側部から後部に亘って上側凹部147の内縁に沿う外縁を有しており、前端部が左右方向に沿って直線状となっており、平面視で円の一部を切り取った形状となっている。また、この操作ハンドル部151は、後端部が上蓋部125に対して回動可能に軸支されている。したがって、この操作ハンドル部151の前部は、上側凹部147の内縁に対して後方に離間されており、使用者が手指を上側凹部147に挿入して操作ハンドル部151の前側を上方へと持ち上げ操作することが可能となっている。
【００５１】
また、係止爪部152は、集塵装置27を本体ケース26に装着する際に、この本体ケース26の本体部31の凹部44の吸気開口部46の上方に開口された係止受部としての係止開口153に挿入係合されることで集塵装置27を本体ケース26に係止するものである。そして、この係止爪部152は、上端部が上蓋部125に回動可能に軸支されている。また、この係止爪部152は、先端側が上蓋部125の後部から後方へと突出している。さらに、この係止爪部152は、係止部付勢手段としてのコイルばね154により、後方へと進出する方向に向けて付勢されている。そして、この係止爪部152の上部には、操作ハンドル部151の後端部が接触しており、操作ハンドル部151が上側凹部147から上方へと回動することによって係止爪部152の上側が下方へと押し込まれ、この係止爪部152がコイルばね154の付勢に抗して前方へと退避するように構成されている。
【００５２】
また、保持体126は、内筒91の排気筒部108の上端側が中央部に挿入される円環状に形成されているとともに、外周縁部から下方に向けて壁部161が突出している。そして、この保持体126は、分離体86の下端部、すなわち第１風路体121の下部に着脱可能に取り付けられている。
【００５３】
壁部161は、分離体86から下方へと突出しており、先端側に可撓性および弾性を有するエラストマ、あるいはゴムなどの閉塞部材であるパッキン163が取り付けられている。また、この壁部161は、保持体126の周方向に連続しており、保持体126を分離体86に取り付けた状態で各第２遠心分離部93の下方に対向している。さらに、この壁部161は、外側へと下方に向けて傾斜している。そして、この壁部161は、分離体86をケース部85の上方に取り付けた状態で、ケース部85の傾斜面部101に対してパッキン163が圧接されることにより、空間部96の内部にてケース部85と壁部161との間に、第２遠心分離部93で分離された塵埃、すなわち細塵を溜める塵埃溜め部165が区画される。すなわち、この塵埃溜め部165は、第１遠心分離部90の上側の周囲に位置し、集塵装置27内を通過する空気の流路の外方に位置している。換言すれば、この塵埃溜め部165には、電動送風機39の駆動により生じる負圧が実質的に作用せず、空気が流れない。そして、この壁部161は、その傾斜により、各第２遠心分離部93で分離された細塵を各第２遠心分離部93の下方(直下)、換言すれば、これら第２遠心分離部93の中心軸位置に対して、側方へとずれた位置に逃がして塵埃溜め部165へと導くようになっている。
【００５４】
そして、通気風路部92は、第１遠心分離部90と各第２遠心分離部93とを気密に接続するものである。この通気風路部92は、第１風路体121の筒部132とダクト部133との間、および、第２風路体122と導入風路体123の連結筒部135および旋回部136との間に亘って気密に区画され、旋回部136を介して各第２遠心分離部93(旋回筒部141の内部)と連通している。したがって、この通気風路部92は、上流側(第１遠心分離部90の下流側)から下流側(第２遠心分離部93の上流側)へと、含塵空気の流量を絞りつつ整流するように構成されている。
【００５５】
また、各第２遠心分離部93は、含塵空気の旋回半径を第１遠心分離部90での旋回半径よりも小さく、かつ、旋回速度を第１遠心分離部90での旋回速度よりも大きくすることによって、第１遠心分離部90を通過した含塵空気中のこの第１遠心分離部90で遠心分離する塵埃よりも(相対的に)小さい塵埃、すなわち細塵を遠心分離して空間部96へと落下させるものである。換言すれば、各第２遠心分離部93は、含塵空気中の第１遠心分離部90で分離できなかった塵埃を遠心分離するものである。そして、これら第２遠心分離部93は、第１遠心分離部90の上方で、導入風路体123の旋回部136および排気部137と分離風路体124の旋回筒部141との間に区画されており、旋回部136から通気風路部92を通過した含塵空気を旋回筒部141の内周面の接線方向に沿って螺旋状に内部に導入して旋回筒部141内で旋回させ、遠心分離した細塵を下端部から壁部161を経由して塵埃溜め部165へと落下させるとともに、細塵を分離した、実質的に塵埃を含まない空気を排気部137から風路部94へと排気するように構成されている。また、これら第２遠心分離部93は、集塵装置27(第１遠心分離部90)の中心軸の周囲の後部(風路部94)を除く位置に、互いに略等間隔に離間されて円弧状(同一円周上)に配置されている。
【００５６】
また、風路部94は、各排気部137から上蓋部125と第２風路体122との間、第１風路体121の筒部132およびダクト部133により気密に区画されている。すなわち、この風路部94は、全ての第２遠心分離部93の下流側と連通し、各第２遠心分離部93の上方から、これら第２遠心分離部93の側方、本実施形態では、円弧状(略円形状)に配列された第２遠心分離部93の中心へと空気の流量を徐々に絞るように連続するとともに、後方へと屈曲している。
【００５７】
次に、上記一実施形態による掃除動作を説明する。
【００５８】
掃除を開始する際には、まず、ケース部85に対して分離体86を取り付けて一体的に組み立てる。このとき、分離体86から突出する壁部161の先端側である下端側がケース部85の傾斜面部101にパッキン163を介して密着することで、ケース部85の空間部96と壁部161との間に塵埃溜め部165が区画される。そして、この組み立てた集塵装置27を本体ケース26に装着する。すなわち、集塵装置27を、位置決め凸部などを本体ケース26側の位置決め受部104，104に位置合わせしつつ挿入して本体ケース26の突出受部32に載置して支持し、かつ、集塵装置用クランプ148の係止爪部152を本体ケース26の係止開口153に挿入係止することにより本体ケース26に対して集塵装置27を係止することで、集塵装置27の導入口97および排気開口144が本体ケース26の連通開口部45および吸気開口部46とそれぞれ気密に接続される。したがって、集塵装置27が電動送風機39の吸込側と本体吸込口52との間に気密に接続された状態で本体ケース26に装着される。
【００５９】
なお、集塵装置27が本体ケース26に既に装着された状態である場合には、これらの操作は不要である。
【００６０】
この状態で、掃除機本体13(本体ケース26)の本体吸込口52に管部12を接続する。具体的に、管部12は、接続管部15を本体吸込口52に挿入接続するとともに、必要に応じて、手元操作部17の先端側に延長管18および床ブラシ19を順次接続する。この状態で、手元操作部17の設定ボタン22が掃除機本体13(本体ケース26)内の制御回路部などと電気的に接続される。なお、管部12が掃除機本体13に既に接続された状態である場合には、これらの操作は不要である。
【００６１】
そして、使用者は、コード導出口50から電源コードを引き出して壁面などのコンセントに接続した後、把持部21を把持し、所望の設定ボタン22を操作することにより、電動送風機39の動作モードを設定する。制御回路部は、この設定された動作モードに対応して電動送風機39の入力を制御し、電動送風機39を設定された動作モードで起動する。
【００６２】
この電動送風機39の起動により生じた負圧は、フィルタ室37(フィルタ部42)、連通風路部38、吸気開口部46、排気開口144、風路部94、第２遠心分離部93、通気風路部92、第１遠心分離部90、導入口97、連通開口部45、本体風路部33および本体吸込口52を介して、管部12へと作用する。このとき、この負圧により、フィルタ部42がフィルタ室37内で前方および下方へと僅かに吸い寄せられることで、シール部材70，71によって風路72の隙間が閉塞され、気密な状態が維持される。
【００６３】
そして、使用者は、この負圧の作用により、床ブラシ19、延長管18、あるいは手元操作部17の先端側から空気とともに塵埃を吸い込む。
【００６４】
この塵埃を含む空気、すなわち含塵空気は、管部12から本体吸込口52、本体風路部33および連通開口部45を経由して導入口97へと導かれ、この導入口97から集塵装置27内、すなわち第１遠心分離部90内へと吸い込まれる。
【００６５】
この第１遠心分離部90では、含塵空気は旋回風路106を旋回することで、この含塵空気中の特に粗塵が遠心分離され、ケース部85の内周面85aに沿って落下して底部上に溜められる。なお、この粗塵は、旋回風路106から内筒91のシェード部109へと、含塵空気の流れの一部によって運ばれ、シェード部109の圧縮用開口117を含塵空気が通過することにより圧縮フィルタ118によってシェード部109内で圧縮される。
【００６６】
粗塵が分離された含塵空気は、内筒91の排気筒部108の開口111を通過する際に分離フィルタ112により濾過される。さらに、この分離フィルタ112を通過した含塵空気は、底面部113に沿って下流側である上側へと整流されつつ通気風路部92へと運ばれる。そして、この含塵空気は、この通気風路部92において、徐々に流量が絞られて整流され、各旋回部136により各第２遠心分離部93内(旋回筒部141内)へとそれぞれ分岐されて流入する。
【００６７】
これら第２遠心分離部93(旋回筒部141)において、含塵空気は、内周面(旋回筒部141の内周面)に沿って旋回され、この含塵空気中の細塵が遠心分離され、第２遠心分離部93(旋回筒部141の内周面)に沿って落下し、壁部161によって塵埃溜め部165へと導かれて溜められる。
【００６８】
そして、細塵が遠心分離された実質的に塵埃を含まない空気は、各第２遠心分離部93の中央部の排気部137から風路部94へと排気されて合流し、この風路部94によって流量が絞られつつ後方へと導かれて、排気開口144から集塵装置27の外部へと排気される。
【００６９】
この後、この空気は、吸気開口部46から連通風路部38およびフィルタ部42のフィルタ68，69を順次通過した後、電動送風機39へと吸い込まれ、この電動送風機39の内部を冷却しつつ通過して排気風となり、電動送風機39から排気孔48を介して本体ケース26の外部へと排気される。
【００７０】
掃除が終了すると、使用者が所定の設定ボタン22を操作することで、制御回路部が電動送風機39の入力を低下させて電動送風機39を停止させる。
【００７１】
集塵装置27内に一定量の塵埃が溜まった場合には、使用者が集塵装置用クランプ148の操作ハンドル部151を持ち上げることで、係止爪部152を係止開口153から退避させ、集塵装置27を本体ケース26から取り外す。
【００７２】
そして、分離体86をケース部85から取り外すと、分離体86と一体的に内筒91がケース部85から引き抜かれるとともに、壁部161(パッキン163)の傾斜面部101への密着が解除され、塵埃溜め部165に溜められた細塵が、傾斜面部101の傾斜に沿ってケース部85の内部へと落下し、このケース部85内に溜められた粗塵の上側に降りかかってこの粗塵と混ざる。
【００７３】
この状態で、使用者は、集塵装置取手部98を把持してケース部85をごみ箱などの廃棄位置へと集塵装置27を運んだ後、上側を下方へと傾けるようにひっくり返すことで、ケース部85に圧縮された状態で溜まった粗塵およびこの粗塵と混ざった細塵が一緒に廃棄される。
【００７４】
また、集塵装置27において、含塵空気中のほぼ全ての塵埃が分離捕集されるものの、例えば電動送風機39が起動した瞬間など、充分な風量が生じていないときに第２遠心分離部93で分離しきれずにこれら第２遠心分離部93を通過した僅かな塵埃(細塵)は、フィルタ部42のフィルタ68，69によって捕集される。したがって、フィルタ部42のメンテナンス機会は、集塵装置27のメンテナンス機会と比較して相当少なく、殆ど必要ないものの、仮にフィルタ部42のメンテナンスが必要な際には、フィルタ部42の両方の取手78を左右両側から摘むと、各爪部79が機構部74内へと退避し、各係止開口部66への係止が解除されるので、使用者は、その取手78を摘んだままフィルタ部42を後方へと引き出すことで、フィルタ部ガイド部64によってフィルタ部42がガイドされつつ着脱開口49を介してフィルタ室37からフィルタ部42が引き出されて取り外される。
【００７５】
そして、フィルタ68，69をフィルタ枠67から取り外し、付着した塵埃を除去した後、フィルタ枠67へと再装着したフィルタ部42は、取手78を左右両側から摘んで各爪部79を機構部74内へと退避させた状態でフィルタ部42を着脱開口49から挿入して再装着する。このとき、フィルタ部42のシール部材70の両側が、フィルタ部ガイド部64によりガイドされる。このガイドの際、フィルタ部ガイド部64と上壁部59との間には上下方向に充分なスペースがあるため、シール部材70がフィルタ部ガイド部64や上壁部59に対して弾性的に摺接(圧接)することがなく、フィルタ部ガイド部64上に沿って滑りながら円滑にガイドされる。そして、シール部材70の前端部、および、シール部材71が、それぞれ前壁部58、および、フィルタ部受部65と当接する位置まで押し込んだ状態で、取手78の保持を解除すると、各爪部79が付勢されて機構部74から両側へと突出し、各係止開口部66へと挿入されてフィルタ部42が本体ケース26に係止される。
【００７６】
そして、以上説明した一実施形態によれば、集塵装置27の下流側でかつ電動送風機39の吸込側にて本体ケース26に対して着脱可能なフィルタ部42が、装着状態で本体ケース26内に位置するフィルタ68，69と、フィルタ68，69を保持するとともに、電動送風機39の吸込側に連通する風路72の一部を形成するフィルタ枠67とを備えることにより、仮に本体ケース26に対してフィルタ部42を装着していない状態で誤って電気掃除機11(電動送風機39)を動作させた場合には、風路72の一部が閉塞されず、電動送風機39の吸込側が着脱開口49から直接本体ケース26の外部に連通する状態となるため、管部12(集塵装置27)側に負圧が充分に作用せず吸込力が低下することで、使用者がフィルタ部42の装着忘れに容易に気付くことができる。
【００７７】
また、フィルタ枠67の少なくとも一部(機構部74の外面部76)が本体ケース26の外郭の一部をなすことにより、フィルタ部42に対して、別途の蓋体などを開閉することなく本体ケース26の外部から容易にアクセス可能となり、メンテナンス性をより向上できる。
【００７８】
さらに、フィルタ部42のフィルタ枠67に、装着状態で本体ケース26の外部から操作可能で、フィルタ部42をこの本体ケース26に対して着脱可能に固定するクランプ77を設けるとともに、フィルタ部42の把持用の取手78を設けることにより、フィルタ部42を本体ケース26の外部から容易に着脱できる。
【００７９】
しかも、クランプ77の操作用の取手78がフィルタ部42の把持用を兼ねることにより、クランプ77の操作用の取手とフィルタ部42の把持用の取手とを別個に設ける場合と比較して、構成をより簡略化できる。
【００８０】
そして、フィルタ部42が、電動送風機39の駆動により生じた負圧によってこの電動送風機39の吸込側に吸い寄せられることで風路72の隙間を閉塞するシール部材70を備えることにより、電動送風機39を駆動させていない状態では、シール部材70が風路72の隙間を閉塞しない、すなわち、シール部材70に対して、フィルタ部ガイド部64と上壁部59との間の距離などに余裕を持たせることができる。そのため、このシール部材70によりフィルタ部42を本体ケース26に対して着脱する際にガイドするときに、シール部材70がフィルタ部ガイド部64および上壁部59などに対して摺接(圧接)することがなく、この装着の際にシール部材70が捲れたり、装着の抵抗となったりすることがない。したがって、電動送風機39を駆動させた状態では風路72の隙間をシール部材70によって確実に閉塞できるとともに、電動送風機39を駆動させない状態ではフィルタ部42を本体ケース26に対して容易に装着できる。
【００８１】
なお、上記一実施形態において、フィルタ部42は、本体ケース26に対して、側方、あるいは上方などから取り付けるように構成してもよい。
【００８２】
また、フィルタ部42は、１つのフィルタのみを有する構成としてもよいし、３つ以上の複数のフィルタを有する構成としてもよい。
【００８３】
さらに、電気掃除機11は、コードリール装置によって外部電源から給電するものに限定されず、例えば二次電池などの電池を電源として内蔵した、いわゆるコードレスタイプでもよい。
【００８４】
また、電気掃除機11としては、キャニスタ型に限らず、例えば上下方向に長手状の本体ケース26の下端部に床ブラシ19を接続した、いわゆるアップライト型のものでも対応して用いることができる。
【００８５】
そして、本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００８６】
11    電気掃除機
26    本体ケース
27    集塵装置
39    電動送風機
42    フィルタ部
67    フィルタ枠
68，69    フィルタ
70    シール部材
72    風路
77    クランプ
78    取手
【図１】
2014018300.tif 000003
【図２】
2014018300.tif 000004
【図３】
2014018300.tif 000005
【図４】
2014018300.tif 000006
【図５】
2014018300.tif 000007
【図６】
2014018300.tif 000008